(57)【要約】      （修正有）【課題】粒状肥料を、適量取り出しかつそれを土中に放出し埋入していく作業を、一連の作業として容易にかつ確実に行うことのできる電動施肥装置を提供する。【解決手段】施肥装置１は、粒状肥料Ｈを圧縮空気によって発射する施肥銃本体３と、施肥銃本体３の銃腔３０ａに取り付けられ、粒状肥料Ｈを排出するノズル２と、粒状肥料Ｈを収納して、圧縮空気が加圧された際、粒状肥料Ｈを銃腔３０ａ内に送出する粒状肥料収納体４と、圧縮空気を施肥銃本体３のシリンダ３１内に供給するコンプレッサ５と、を備える。【選択図】図１
0003189548.tif 000002
【実用新案登録請求の範囲】
【請求項１】
粒状肥料を圧縮空気によって発射する施肥銃本体と、
前記施肥銃本体の銃腔に取り付けられ、前記粒状肥料を排出するノズルと、
前記粒状肥料を収納して、前記圧縮空気が加圧された際、前記粒状肥料を前記銃腔内に送出する粒状肥料収納体と、
前記圧縮空気を前記施肥銃のシリンダ内に供給する圧縮空気供給体と、を備える電動施肥装置。
【請求項２】
前記ノズルは、細長い筒状棒体の先端を略円錐台に尖らせた形状であることを特徴とする請求項１に記載の電動施肥装置。
【請求項３】
前記施肥銃本体は、前記シリンダの外に突出して前記粒状肥料を導入するための導入通路の開口端に向かう押出部を一体的に形成し、前記押出部に前記粒状肥料収納体が着脱自在に取り付けられることを特徴とする請求項１又は２に記載の電動施肥装置。
【請求項４】
前記圧縮空気供給体と前記粒状肥料収納体とは、前記施肥銃本体に対して外付けのタンク内に備えることを特徴とする請求項１又は２に記載の電動施肥装置。
【請求項５】
前記外付けタンクは車輪を備え、走行可能であることを特徴とする請求項４に記載の電動施肥装置。
【請求項６】
前記施肥銃本体は、ピストンシリンダ装置が内蔵され、固定されたシリンダ内を進退可能なピストンの移動方向に作用し該ピストンを後退させたときに蓄圧される圧縮バネを設け、前記ピストンの移動方向に設けたラックに噛合して前記ピストンを後退させる駆動ギヤをモータ駆動の駆動機構の出力ギヤとして設け、前記圧縮バネの蓄圧開始のために前記ラックの後端部にて前記駆動ギヤを前記ラックと噛合させ、前記圧縮バネの蓄圧後に前記圧縮バネを解放するため前記ラックの前端部にて前記駆動ギヤとの噛合を外すトリガを備えることを特徴とする請求項１ないし３のいずれかに記載の電動施肥装置。
【考案の詳細な説明】
【技術分野】
【０００１】
本考案は手で持って土中の一定深さへ突き刺し、圧縮空気によって施肥を可能とする施肥装置に関する。
【背景技術】
【０００２】
野菜を栽培する場合、従来、土中の所定位置に所定量の薬剤や肥料の粉粒物を埋め込んでいくことが行われている。埋入に当たっては圃場に杭などで穴を開け、そこに所定量の薬剤や肥料の粉粒物を投入し、覆土する方法が一般的に行われている。しかし、この作業は手作業であること、穴開け・粉粒物の投入・覆土の３行程の作業が必要となることから、煩雑な作業となっている。杭などでの穴開けは粉粒剤の投入を容易とするために大きな穴とするのが通常であり、非能率的であるとともに作業疲労が大きい。
【０００３】
そのような不都合を解消するものとして、粉粒剤の土中への埋込を機械的に行うようにした器具が提案されている。例えば、特許文献１に係る発明として、下部の開口部を先鋭に形成した筒状体と、該筒状体内に上下動可能に貫挿され、上部に把手部を有するとともにこの上下動により該筒状体の開口部を開閉可能な軸部材と、上記筒状体に上下動可能に設けられた接地部材と、該筒状体に設けられ、ホッパ内の粒状肥料を該接地部材の上下動により定量宛筒状体内に供給可能な供給機構とを備えて構成した粒状肥料埋入装置として知られている。これによれば、把手部を押し下げることにより筒状体は土中に進入し、その過程において接地部材の作用によりホッパ内の粒状肥料は筒状体内に供給され、把手部を持ち上げることにより開口部は開口して、粒状肥料は開口部から土中に落下放出される。
【０００４】
また特許文献２に係る考案は、上部開口と下部開口を有する筒状の主体に、主体内に通じた薬物挿入体を設け、また、上記主体内には、下方の穿孔部が主体の下方開口から、上方の杆頭が主体の上部開口から夫々突出すべく穿孔体を主体の長手方向に対し摺動自在で設置するとともに、主体に穿孔杆の動きを規制すべき規制体を設けるようにした土壌への薬物注入具として知られている。これによれば、筒状主体に穿孔体を挿入した状態で、穿孔体の上方杆頭を押し下げることにより筒状主体は土中に進入し、その状態で穿孔体を筒状主体から引き出すことにより、薬物挿入体内の薬物は筒状主体の内部に流入し、筒状主体の下部開口から主体外方の土壌中に放出される。
【先行技術文献】
【特許文献】
【０００５】
【特許文献１】特公平３−１７４４６号公報
【特許文献２】実開平２−２６４２２号公報
【考案の概要】
【考案が解決しようとする課題】
【０００６】
ところが、肥料の粉粒物を一連の作業として土中に埋入する器具を、上記のような土中への埋入作業にそのまま用いることはきわめて困難である。なぜなら、両者ともホッパあるいは薬物挿入体内に収容された粉粒物を、所定量だけ筒体先端の土中落下口まで自然落下させていくものであり、別途特別の錠剤取り出し機構を設けない限り、多数の錠剤を収容したホッパから、錠剤を適量ずつ取り出し、それを土中に適量宛放出し埋入していくことは不可能であることによる。また、上記の器具は粉粒物を自然落下により土中に埋入するものであることから、植物の根元に側方から肥料や薬剤を投入することもできなかった。
【０００７】
本考案は、このような問題に鑑み、粒状肥料を、適量取り出しかつそれを土中に放出し埋入していく作業を、一連の作業として容易にかつ確実に行うことのできる施肥装置を提案することを課題とする。
【課題を解決するための手段】
【０００８】
本考案に係る施肥装置は、粒状肥料を圧縮空気によって発射する施肥銃本体と、  施肥銃本体の銃腔に取り付けられ、粒状肥料を排出するノズルと、粒状肥料を収納して、圧縮空気が加圧された際、粒状肥料を銃腔内に送出する粒状肥料収納体と、圧縮空気を施肥銃のシリンダ内に供給する圧縮空気供給体と、を備えることを特徴とする。なお、ノズルは、細長い筒状棒体の先端を略円錐台に尖らせた形状にすれば、土に挿して使用する場合、土砂がノズルに入り込むことを軽減できる。また、施肥銃本体は、シリンダの外に突出して粒状肥料を導入するための導入通路の開口端に向かう押出部を一体的に形成し、この押出部に粒状肥料収納体が着脱自在に取り付けられるようにしてもよい。
【０００９】
また、圧縮空気供給体と粒状肥料収納体とは、施肥銃本体に対して外付けのタンク内に備えるように構成してもよい。さらに、外付けタンクは車輪を備え、走行可能であるようにすることができる。
【００１０】
さらに、施肥銃本体は、ピストンシリンダ装置が内蔵され、固定されたシリンダ内を進退可能なピストンの移動方向に作用し該ピストンを後退させたときに蓄圧される圧縮バネを設け、ピストンの移動方向に設けたラックに噛合してピストンを後退させる駆動ギヤをモータ駆動の駆動機構の出力ギヤとして設け、圧縮バネの蓄圧開始のためにラックの後端部にて駆動ギヤをラックと噛合させ、圧縮バネの蓄圧後に圧縮バネを解放するためラックの前端部にて駆動ギヤとの噛合を外すトリガを備えるように構成して、小型化することもできる。
【考案の効果】
【００１１】
本考案に係る施肥装置によれば、施肥・追肥をしたい場所にノズルを差し込み、圧縮空気で粒状肥料を送り込むことができるので、ビニールマルチが施されているような場所でも、ビニールマルチを破る必要も土を掘り返すこともなく簡単に施肥・追肥することができる。
【図面の簡単な説明】
【００１２】
【図１】本考案の実施例１に係る施肥装置１の全体構成を示す破断図である。
【図２】本考案の実施例２に係る施肥装置１００の全体構成を示す一部破断図である。
【図３】本考案の実施例３に係る施肥装置２００の全体構成を示す一部破断図である。
【図４】本考案の実施例４に係る施肥装置３００の要部拡大図である。
【考案を実施するための形態】
【００１３】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限られるものではない。
【実施例１】
【００１４】
実施例１について、図面を参照して詳細に説明する。図１は、本考案の実施例１に係る施肥装置１の全体構成を示す破断図である。図１に示すとおり、施肥装置１は、ノズル２と施肥銃本体３と粒状肥料収納体４と外付けのコンプレッサ５とを備える。後述するとおり、施肥銃本体３のトリガ３４を操作することにより、外付けコンプレッサ５から圧搾空気Ａが空気通路５０、３０ｂを介して、シリンダ３１に供給され、それにより粒状肥料収納体４から適量の粒状肥料Ｈがシリンダ３１内に送出され、ノズル２を介して粒状肥料Ｈを発射する構成としている。
【００１５】
ノズル２は、細長い円筒状のノズル本体２１と、略円錐台に尖らせた形状の先端部２２とからなる。このような形状にすることで、ノズル２を土に突き刺して引き抜くときに、ノズル先端部２２に土砂が侵入するのを軽減することができる。なお、ノズル先端部２２は、ノズル本体２１の一方の端部に着脱自在に取り付けられる。したがって、ノズル先端部２２をノズル本体２１から取り外して、穴の目詰まりを解消することができる。ノズル２は、ステンレス製であると好適であるが、曲がりにくい金属製や樹脂製であればよい。なお、粒状肥料Ｈは、市販の肥料を使用すればよいが、用途に応じて大きさは異なる。例えば、大粒が６ないし１２ｍｍ、中粒が２ないし６ｍｍ、小粒０．５ないし２ｍｍである。したがって、ノズル先端部２２の穴は少なくとも大粒の１２ｍｍよりも大きい内径であることが望ましく、ノズル本体２１の通路２０の穴の径はノズル先端部２２の内径よりも大きい。
【００１６】
施肥銃本体３は、外形的には、本体部３２と把持部３３とトリガ３４とを備える。本体部３２は先端に銃腔３０ａが備え、ノズル２のノズル本体２１の後端が着脱自在に取り付けられる。ノズル２の取付けは、ねじ式でも嵌めこみ式でもよい。本体部３２は、内部に、銃腔３０ａに開口するシリンダ３１と、コンプレッサ５から圧縮空気Ａを送り込む空気通路３０ｂとを備える。なお、施肥銃本体３は、シリンダ３１から後端に空気通路が延び、この後端に圧縮空気Ａの供給量を調節できる空気調節部３５を備えている。さらに、施肥銃本体３は、シリンダ３１の外に突出して粒状肥料Ｈを導入するための導入通路３０ｃの開口端に向かう押出部３３を一体的に形成し、この押出部３３に粒状肥料収納体４が着脱自在に取り付けられるようにしてもよい。
【００１７】
粒状肥料収納体４は粒状肥料Ｈを収容する容器であり、底部に空気穴を備えるとよい。そうすると、圧搾空気Ａが空気通路５０、３０ｂを介して、シリンダ３１に供給される際、粒状肥料収納体４から適量の粒状肥料Ｈがシリンダ３１内に送出される。なお、シリンダ３１内に通じる導入通路３０ｃの開口部に供給弁を備えてもよい。
【実施例２】
【００１８】
実施例２について、図面を参照して詳細に説明する。図２は、本考案の実施例２に係る施肥装置１００の全体構成を示す一部破断図である。施肥装置１００は、施肥装置１の変形形態である。実施例１と実施例２の差異は、粒状肥料収納体１０４が外付けとなって、コンプレッサ１０５及び電源１０６と一体のタンクとして構成されている点であり、これ以外は実質的に同一であるため、同一部分の説明は省略する。
【００１９】
図２に示すとおり、施肥装置１００は、ノズル１０２と、施肥銃本体１０３と、粒状肥料収納体１０４とコンプレッサ１０５と電源１０６とを備える外付けタンク１０１とから構成される。外付けタンク１０１は、タンク本体を粒状肥料収納体１０４として粒状肥料Ｈを収納し、上蓋にコンプレッサ１０５と電源１０６を配設し、コンプレッサ１０５から施肥銃本体１０３に圧縮空気Ａを送り出し、その圧縮空気Ａの送り出しに伴い、粒状肥料収納体１０４から適量の粒状肥料Ｈが圧縮空気Ａとともに空気通路に供給される。なお、実施例２において、トリガは空気通路の開閉を行うことにより、粒状肥料の噴射を調節することができる。
【００２０】
また、図２に示すように、使用者が背負うことができるよう、外付けタンク１０１は使用者の背面に当接する部分に一対の肩ベルト１１０を備えるようにするとよい。また、肩からかけて使用することができるように、外付けタンク１０１の側壁の一部に一本のストラップ（図示しない）を左右にわたすように取り付けてもよい。
【実施例３】
【００２１】
実施例３について、図面を参照して詳細に説明する。図３は、本考案の実施例３に係る施肥装置２００の全体構成を示す一部破断図である。施肥装置２００は、施肥装置１及び２の変形形態である。実施例２と同様に、粒状肥料収納体２０４（図示しない）が外付けとなって、コンプレッサ２０５等と一体のタンクとして構成されているが、タンクを大型化し、車輪を装備することで、走行可能にしている点で異なる。これ以外は実質的に同一であるため、同一部分の説明は省略する。
【００２２】
図３に示すとおり、施肥装置２００は、ノズル２０２と、施肥銃本体２０３と、内部に粒状肥料収納体２０４（図示しない）とコンプレッサ２０５とエンジン（図示しない）とを備えるタンク車２０１から構成される。タンク車２０１は、本体内部に粒状肥料収納体２０４（図示しない）を格納するとともに、コンプレッサ２０５を備え、さらに四本の車輪２１１を備えている。また、コンプレッサ２０５ならびに車輪２１１を駆動するためのエンジン（図示しない）が搭載される。実施例３に係る施肥装置２００においても、コンプレッサ２０５から施肥銃本体２０３に圧縮空気Ａを送り出し、その圧縮空気Ａの送り出しに伴い、粒状肥料収納体２０４（図示しない）から適量の粒状肥料Ｈが圧縮空気Ａとともに空気通路に供給される。なお、施肥銃本体２０３のトリガにおいてタンク車の前進走行・後進走行を操作する。また、車輪２１１の幅は畝の幅に調整できるように車軸を二重筒構造とするとよい。
【実施例４】
【００２３】
実施例４について、図面を参照して詳細に説明する。図４は、本考案の実施例４に係る施肥装置３００の要部拡大図である。
【００２４】
図４を参照する。施肥装置３００は、後述のピストンシリンダ機構を備え、圧縮空気Ａを施肥銃本体３０３内において生成する構成となっている。ピストンシリンダ機構は、銃腔３１０の後方で、その軸心とほぼ同軸に配置されており、シリンダ３３０の前端には銃腔３１０の後端開口内に入り込むノズル３３１が設けられている。ピストン３３１がシリンダ３３０内を進退可能に嵌挿されており、該ピストン３３１は後方に伸びたばね収容部３３３を一体に有し、ピストン３３１の後退により蓄圧されるコイル状の圧縮ばね３３２の前部をばね収容部３３３内に収めている。同ばね３３２の後部はピストン３３１後方の施肥銃本体３０３に支持され、かつ同ばね３３２を直線的に伸縮させるためのガイド杆（図示しない）が内部に入り込んでいる。
【００２５】
ピストン３３１は、ばね収容部３３３の下面にその長手方向に沿って設けたラック３３６（図示しない）を有し、かつまたその直進を保証するために両側部に条溝（図示しない）が設けてあって、シリンダ３３０内壁に設けられたガイド突条（図示しない）との係合下に前進後退するように構成されている。なお、ピストン３３１は０−リング等のシール手段により気密性が保たれる。
【００２６】
ラック３３６と噛合可能な駆動ギヤ３３４を有する駆動機構がシリンダ３３０の後部に設けられている。駆動ギヤ３３４はこの駆動機構の出力ギヤであり、ラック３３６と噛合可能なように、駆動機構が組み込まれたケース３４０よりラック３３６方向へ突出している。駆動機構は駆動モータ３０４と減速歯車組３３５ａ、３３５ｂとから成るが、モータ軸に取り付けたピニオンと噛合する傘歯車３３５ｃを設けた後部の枢軸を中心として、施肥銃本体３０３に対して全体が僅かに回動可能に設けられている。
【００２７】
なお、トリガ３４０は駆動モータ３０４を作動させる。そのための具体的な構成は適宜変更することができる。３０５は電源（電池）であり、銃把の部分に内蔵され、モータ３０４へ電力を供給する。
【００２８】
以上、本考案に係る施肥装置における好ましい実施形態を図示して説明してきたが、本考案の技術的範囲を逸脱することなく種々の変更が可能であることは理解されるであろう。
【産業上の利用可能性】
【００２９】
本考案に係る施肥装置は、施肥・追肥をしたい所にノズルを差し込み、粒状肥料を圧縮空気で送り込むことができるので、ビニールマルチが施されているような場所でも、ビニールマルチを破る必要も土を掘り返すこともなく簡単に施肥・追肥することができる。したがって、プロの農家の他、趣味で使用する人にも容易に操作でき、広く利用することができる。
【符号の説明】
【００３０】
１  １００  ２００  ３００  施肥装置
２  １０２  ２０２  ３０２  ノズル
３  １０３  ２０３  ３０３  施肥銃本体
４  １０４  ２０４  ３０４  粒状肥料収納体
５  １０５  ２０５  ３０５  コンプレッサ
３０ａ  銃腔
２２  ノズル先端部
３１  ３３０  シリンダ
３３１  ピストン
３３２  ばね
３３３  ばね収容部
３３４  駆動ギヤ
３３５ａ  ３３５ｂ  減速歯車組
３３５ｃ  傘歯車
３３６  ラック
３４  ３４０  トリガ
３０４  モータ
３０５  電池
Ａ  圧縮空気
Ｈ  粒状肥料
【図１】
0003189548.tif 000003
【図２】
0003189548.tif 000004
【図３】
0003189548.tif 000005
【図４】
0003189548.tif 000006